(57)【要約】【課題】  電動切り替えの操作を確実に行え、無理のないスイッチ操作ができる顕微鏡を提供する。【解決手段】  顕微鏡本体１の下部の左右の両側面に焦準ハンドル１０，１１を有し、対物レンズを切り換えるスイッチ２５，２６を前面３０の左側に配置した。スイッチ２５とスイッチ２６とは、左側の焦準ハンドル１１に左手Ｐ１を添えたときの、左手親指Ｐ１１の動作軌跡２４上に配置されており、スイッチ２５の中心と、スイッチ２６の中心とを結ぶ直線は、前面３０の左端から中央に向かって下り勾配を有するように斜めになっている。【選択図】    図２
2005221561.tif 000002
【特許請求の範囲】
【請求項１】
試料を載置するステージと、前記ステージを上下移動させるために顕微鏡本体の両側面に設けられた焦準ハンドルと、前記試料の光学像を結像する光学系と、駆動部の制御を行うために前記顕微鏡本体の下方に設けられたスイッチとを有する顕微鏡において、
前記顕微鏡本体の前面に、複数の前記スイッチを有し、隣り合う２つの前記スイッチは、前記焦準ハンドルの回転軸に対して傾斜して配置されていることを特徴とする顕微鏡。
【請求項２】
複数の前記スイッチが、円弧上に配置されていることを特徴とする請求項１に記載の顕微鏡。
【請求項３】
前記駆動部が、対物レンズのレボルバであり、前記スイッチにより対物レンズ変換レボルバの正逆回転が可能であることを特徴とする請求項１又は請求項２に記載の顕微鏡。
【請求項４】
前記顕微鏡本体の正面からみて、前記レボルバを右回転させるスイッチを、前記レボルバを左回転させるスイッチの右側に配置したことを特徴とする請求項３に記載の顕微鏡。
【請求項５】
対物レンズの倍率を上げるように前記レボルバを回転させる前記スイッチを、前記対物レンズの倍率を下げるように前記レボルバを回転させる前記スイッチの上側に配置したことを特徴とする請求項３又は請求項４に記載の顕微鏡。
【請求項６】
前記顕微鏡本体の前記前面の右側と左側とのそれぞれに前記スイッチを配置したことを特徴とする請求項１から請求項５のいずれか一項に記載の顕微鏡。
【請求項７】
一方の前記焦準ハンドル側の前記前面に、前記レボルバを回転させる前記スイッチを配置し、他方の前記焦準ハンドル側の前記前面に対応して、前記試料を照らす光の絞りを制御する前記スイッチを複数配置したことを特徴とする請求項６に記載の顕微鏡。
【請求項８】
少なくとも２つの前記スイッチを、前記前面に対して回転可能な部材に取り付け、前記部材を任意の回転角度で固定する固定手段を設けたことを特徴とする請求項１から請求項７のいずれか一項に記載の顕微鏡。
【請求項９】
試料を載置するステージと、前記ステージを上下移動させるために顕微鏡本体の両側面に設けられた焦準ハンドルと、前記試料の光学像を結像する光学系と、駆動部の制御を行うために前記顕微鏡本体の下方に設けられたスイッチとを有する顕微鏡において、
前記顕微鏡本体の前面に、前記スイッチの接点を複数配置し、隣り合う２つの前記接点は、前記焦準ハンドルの回転軸に対して傾斜して配置されていることを特徴とする顕微鏡。
【発明の詳細な説明】
【技術分野】
【０００１】
本発明は、駆動部を操作するスイッチを備える顕微鏡に関する。
【背景技術】
【０００２】
半導体ウエハの大口径化に伴い、これを観察する顕微鏡のステージも大型化している。このような顕微鏡の場合、ステージを水平方向に移動させる操作部や、焦準の操作部を、可能な限り手前側に配置することで、操作性を向上させている。また、対物倍率を変換する部分など、頻繁に操作される部分に関しては、切り換えスイッチの操作により電動で切り換えを行うことが主流になっている。さらに、長時間の作業となるために、操作部と操作部との間の距離や、操作部の配置などが観察者に煩わしい作業をさせる原因となっていた。
【０００３】
焦準ハンドルと電動切換部のスイッチとの配置例としては、焦準ハンドルの外周に人差し指が掛かるように、軸方向に直角な方向から焦準ハンドルに手を添えたときに、親指の自然な動作軌跡中に第１のスイッチが配置され、中指、薬指、小指の自然な動作軌跡中に第２、第３、第４のスイッチがそれぞれ配置されているものがある（例えば、特許文献１参照）。このような配置では、焦準ハンドルから手を殆ど移動させなくても、４つのスイッチを押すことができる。ところが、このような配置では、スイッチの数が多く、それぞれの指に、スイッチが１つずつ割り当てられているので、例えば、レボルバを回転させて対物レンズの切り換えを行う場合、どのスイッチがレボルバを時計回りに回転させるスイッチで、どのスイッチがレボルバを反時計回りに回転させるスイッチか、迷う可能性が高く、操作効率をかえって下げてしまう可能性があった。
【０００４】
そのような問題を解決する手段としては、顕微鏡本体の両側面で、かつ焦準ハンドルの近傍に、電動レボルバを正逆回転させるための一対のレボルバ切り換えスイッチを備えるものがある（例えば、特許文献２参照）。右側面のレボルバ切り換えスイッチは、電動レボルバを反時計回りに回転させる押しボタンと、電動レボルバを時計回りに回転させる押しボタンとで構成されている。さらに、左側面のレボルバ切り換えスイッチも同様の配置がなされている。
【特許文献１】実開平１−１５７３０８号公報
【特許文献２】特開平１０−３３３０１７号公報
【発明の開示】
【発明が解決しようとする課題】
【０００５】
しかしながら、焦準ハンドルの近傍の側面にスイッチが配置されているため、電動レボルバを正転又は逆転させるのに、それぞれに違う指でスイッチを押すか、又は一本の指で窮屈な状態でスイッチを押さなければならなかった。このため、操作間違いが生じやすかった。
この発明は、このような従来の問題点を考慮してなされたものであり、電動切り替えの操作を確実に行え、かつ簡単なスイッチ操作ができる顕微鏡を提供することを目的とする。
【課題を解決するための手段】
【０００６】
上記の課題を解決する本発明の請求項１に係る発明は、試料を載置するステージと、前記ステージを上下移動させるために顕微鏡本体の両側面に設けられた焦準ハンドルと、前記試料の光学像を結像する光学系と、駆動部の制御を行うために前記顕微鏡本体の下方に設けられたスイッチとを有する顕微鏡において、前記顕微鏡本体の前面に複数の前記スイッチを有し、隣り合う２つの前記スイッチは、前記焦準ハンドルの回転軸に対して傾斜して配置されていることを特徴とする顕微鏡とした。
この顕微鏡では、顕微鏡本体の下部の前面に設けられたスイッチを、焦準ハンドルの回転軸に対して傾斜して配置している。このようにスイッチを配置すると、焦準ハンドルに手を添えた状態で、親指でスイッチを操作する際に、１つのスイッチを押した位置から親指を、親指の付け根の関節を中心にして動かすだけで、他のスイッチを押すことが可能になる。
【０００７】
請求項２に係る発明は、請求項１に記載の顕微鏡において、複数の前記スイッチが、円弧上に配置されていることを特徴とする。
この顕微鏡によれば、３つ以上のスイッチを顕微鏡本体の下部の前面に配置する際に、指の動きを１つのスイッチを押した位置から親指を、親指の付け根の関節を中心にして動かすだけで、他のスイッチを押すことが可能になる。特に、スイッチを操作する指の付け根関節を中心とする円弧上に配置すると、指の動きをさらに自然なものにすることができる。
【０００８】
請求項３に係る発明は、請求項１又は請求項２に記載の顕微鏡において、前記駆動部が、対物レンズのレボルバであり、前記複数のスイッチにより対物レンズ変換レボルバの正逆回転が可能であることを特徴とする。
この顕微鏡によれば、顕微鏡本体の下部の前面に配置されたスイッチを親指で操作することにより、レボルバを回転させることができる。
【０００９】
請求項４に係る発明は、請求項３に記載の顕微鏡において、前記顕微鏡本体の正面からみて、前記レボルバを右回転させるスイッチを、前記レボルバを左回転させるスイッチの右側に配置したことを特徴とする。
この顕微鏡では、観察者が顕微鏡本体に向かった場合に、観察者からみてレボルバを右方向に回転させる際には、右側にあるスイッチを操作すれば良い。また、観察者からみてレボルバを左方向に回転させる際には、左側にあるスイッチを操作すれば良い。このように、レボルバの回転方向とスイッチの左右方向とを合わせることで、レボルバの回転方向の識別が可能になる。
【００１０】
請求項５に係る発明は、請求項３又は請求項４に記載の顕微鏡において、対物レンズの倍率を上げるように前記レボルバを回転させる前記スイッチを、前記対物レンズの倍率を下げるように前記レボルバを回転させる前記スイッチの上側に配置したことを特徴とする。
この顕微鏡では、対物レンズの倍率を上げたいときには、上側にあるスイッチを操作すれば良く、対物レンズの倍率を下げたいときには、下側にあるスイッチを操作すれば良い。このように、対物レンズの倍率の上げ下げと、スイッチの上下方向の配置とを対応付けることで、レボルバの回転方向の識別が容易になる。
【００１１】
請求項６に係る発明は、請求項１から請求項５のいずれか一項に記載の顕微鏡において、前記顕微鏡本体の前記前面の右側と左側とのそれぞれに前記スイッチを配置したことを特徴とする。
この顕微鏡によれば、複数のスイッチを前面の両側に設けることで、左右どちらの手でも駆動部の操作が行える。右側のスイッチと左側のスイッチとは、共にレボルバ用のスイッチでも良いし、右側又は左側の一方に配置されたスイッチを、レボルバ以外の駆動部のスイッチとしても良い。
【００１２】
請求項７に係る発明は、請求項６に記載の顕微鏡において、一方の前記焦準ハンドル側の前記前面に、前記レボルバを回転させる前記スイッチを配置し、他方の前記焦準ハンドル側の前記前面に対応して、前記試料を照らす光の絞りを制御する前記スイッチを複数配置したことを特徴とする。
この顕微鏡では、顕微鏡本体の下部の前面に配置されたスイッチを親指で操作することにより、顕微鏡の明るさの絞りを調整することができる。
【００１３】
請求項８に係る発明は、請求項１から請求項７に対して回転可能な部材に取り付け、前記部材を任意の回転角度で固定する固定手段を設けたことを特徴とする。
この顕微鏡では、顕微鏡本体の下部の前面に配置されるスイッチで、２つ以上のスイッチが、前面に対して回転自在に設けられている。さらに、このようなスイッチを所定の回転角度で固定することができるので、観察者は、指の長さや、姿勢によってスイッチ間を結んだ直線の傾きを調整することができる。
【００１４】
請求項９に係る発明は、試料を載置するステージと、前記ステージを上下移動させるために顕微鏡本体の両側面に設けられた焦準ハンドルと、前記試料の光学像を結像する光学系と、駆動部の制御を行うために前記顕微鏡本体の下方に設けられたスイッチとを有する顕微鏡において、前記顕微鏡本体の前面に、前記スイッチの接点を複数配置し、隣り合う２つの前記接点は、前記焦準ハンドルの回転軸に対して傾斜して配置されていることを特徴とする顕微鏡とした。
この顕微鏡では、顕微鏡本体の下部の前面に設けられたスイッチの接点を、焦準ハンドルの回転軸に対して傾斜して配置している。このようにスイッチの接点を配置すると、焦準ハンドルに手を添えた状態で、親指でスイッチを操作する際に、１つのスイッチを押したり、スイッチを切り替えた位置から親指を付け根の関節を中心にして動かすだけで、他のスイッチを押したり、スイッチを切り替えたりすることが可能になる。なお、１つのスイッチが１つの接点を有する場合には、複数のスイッチが、傾斜して配置される。また、多接点スイッチの場合には、１つのスイッチが、複数の接点が傾斜配置されるように配置される。
【発明の効果】
【００１５】
請求項１に記載した発明によれば、駆動部を駆動させる複数のスイッチを、顕微鏡本体の下方の前面に配置し、隣り合う２つのスイッチが、焦準ハンドルの回転軸に対して傾斜しているので、焦準ハンドルに手を添えた状態で、親指でスイッチを操作する際に、１つのスイッチを押した位置から親指を、親指の付け根の関節を中心にして動かすだけで、他のスイッチを押すことが可能になる。したがって、焦準用のハンドルから手を殆ど動かさずにスイッチの操作が行えるので、無理のない操作で、スイッチの操作を確実に行うことができる。
請求項２に記載した発明によれば、請求項１に記載した効果に加えて、スイッチが３つ以上ある場合でも、円滑な操作を無理のない指使いにより行える。さらに、指の動作軌跡に沿うような円弧上にスイッチを配置すると、円滑な作業が行え、無理のない指使いによる操作が可能になる。
請求項３に記載した発明によれば、レボルバ変換において、請求項１又は請求項２に記載した効果が得られる。
請求項４に記載した発明によれば、請求項３に記載した効果に加えて、スイッチの横方向の配置が、レボルバの回転方向に対応するようになるので、観察者に理解しやすく、操作性に優れる。したがって、操作ミスを少なくすることができる。
請求項５に記載した発明によれば、請求項３又は請求項４に記載した効果に加えて、スイッチの上下方向の配置が、対物レンズを切り換えるときの倍率の上がり下がりに対応するようになるので、観察者に理解しやすく、操作性に優れる。したがって、操作ミスを少なくすることができる。
請求項６に記載した発明によれば、請求項１から請求項５のいずれかに記載した効果が得られる。さらに、前面の右側に配置したスイッチと、左側に配置したスイッチとで、それぞれ顕微鏡の操作が可能になるので、操作性に優れる。
【００１６】
請求項７に記載した発明によれば、請求項６に記載した効果が得られ、特に、顕微鏡観察時の視野の明るさを手元の操作で制御することが可能になる。
請求項８に記載した発明によれば、請求項１から請求項８のいずれかに記載した効果に加え、２つ以上のスイッチが前面に対して回転可能に構成されているので、そのようなスイッチの配置を、調整することができる。したがって、観察者の手の大きさや、指の長さ、姿勢の違いなどに適応してスイッチを配置することができるので、適応性及び操作性に優れる。
請求項９に記載した発明によれば、駆動部を駆動させる複数のスイッチの接点を、顕微鏡本体の下方の前面に配置し、隣り合う２つのスイッチの接点が、焦準ハンドルの回転軸に対して傾斜しているので、焦準ハンドルに手を添えた状態で、親指でスイッチを操作する際に、親指を付け根の関節を中心にして動かすだけで、スイッチ操作を行うことができる。したがって、焦準用のハンドルから手を殆ど動かさずにスイッチの操作が行えるので、無理のない操作で、スイッチの操作を確実に行うことができる。
【発明を実施するための最良の形態】
【００１７】
発明を実施するための最良の形態について図面を参照しながら詳細に説明する。
図１に第１の実施の形態における顕微鏡の全体構成を示し、図２は前面のスイッチの配置と操作についてのＹ矢視図である。図３及び図４はスイッチを押したときの動きを説明する図である。図５は顕微鏡の観察姿勢を示す。
【００１８】
図１に示すように、顕微鏡は、顕微鏡本体１を有する。顕微鏡本体１は、テーブルなど焦準部を載置するベース部１ａと、ベース部１ａの後部から立設する支柱部１ｂと、支柱部１ｂの上部からベース部１ａの上方に向かって延びるアーム部１ｃとからなる。
図２に示すように、ベース部１ａには、両端に焦準ハンドル１０，１１が軸１２で回転自在に支持されている。焦準ハンドル１０，１１は、それぞれ、粗動ハンドル１０ａ，１１ａと微動ハンドル１０ｂ，１１ｂとからなる。焦準ハンドル１０，１１の軸１２は、例えば、ピニオンとラックのような伝達機構（不図示）を介して焦準台１４に連結されている。
図１に示すように、焦準台１４は、焦準ハンドル１０，１１の後方、かつ上方に配置されている。焦準台１４の上には、試料Ｗを載置するステージ２が取り付けられている。前記伝達機構及び焦準台１４は、ステージ２を顕微鏡本体１に対して上下方向に移動させる移動装置である。
【００１９】
ステージ２の上方には、複数の対物レンズ４を装着可能なレボルバ５が、顕微鏡本体１のアーム部１ｃに回転可能に取り付けられている。アーム部１ｃ内には、落射照明光学系（不図示）が照明光軸７に沿って構成されており、その照明光軸７上には、光源を含むランプハウス６が取り付けられている。さらに、所定の対物レンズ４と試料Ｗとを結ぶ光軸ｎ１に沿って上方には、鏡筒８がアーム部１ｃに着脱自在に取り付けられている。この鏡筒８には、試料Ｗの像を観察するための接眼レンズ９が取り付けられている。
【００２０】
また、図２に示すように、顕微鏡本体１のベース部１ａの前面３０には、プッシュ式のスイッチ２５とスイッチ２６とが設けられている。これらスイッチ２５，２６は、焦準ハンドル１１を軸方向の外側（側方）から左手Ｐ１で覆ったときに、親指Ｐ１１で押せる位置に配置されている。具体的には、左手Ｐ１の親指Ｐ１１のＣＭ（手根中手）関節Ｐ１２を中心として、親指Ｐ１１の指先を移動させた場合の、円弧状の動作軌跡２４上に配置されていることが好ましい。例えば、スイッチ２５は、軸１１の回転軸Ｃ１を通り水平な平面と、前面３０とが交差する線上に配置されている。スイッチ２６は、スイッチ２５よりも左側（焦準ハンドル１１側）で、スイッチ２５よりも高い位置に配置されている。つまり、スイッチ２５とスイッチ２６とを結ぶ直線は、前面３０の左端から中央に向かって下り勾配を有し、焦準ハンドル１０，１１の回転軸Ｃ１を通る水平面に対して傾斜している。なお、ＣＭ関節Ｐ１２は、親指Ｐ１１の先端から３番目の関節、つまり親指Ｐ１１で最も手首に近い関節である。
【００２１】
このように配置されるスイッチ２５，２６は、それぞれ、スイッチ２５，２６の外形と略同形状の接点２５ａ，２６ａを有している。各接点２５ａ，２６ａは、レボルバ５を回転駆動させる電気回路（不図示）に電気的に接続されており、右側に配置されているスイッチ２５の接点２５ａは、図３及び図４に矢印Ｆで示すように、正面からみて右方向、下方からみて時計回りにレボルバ５を回転させるように接続されている。左側に配置されているスイッチ２６の接点２６ａは、図３及び図４に矢印Ｇで示すように、正面からみて左方向、下方からみて反時計回りにレボルバ５を回転させるように接続されている。
ここで、レボルバ５には、下方からみて時計回りに倍率が高くなるように対物レンズ４（対物レンズ４ａから対物レンズ４ｅ）が取り付けられている。したがって、上側に配置されているスイッチ２６は、対物レンズ４の倍率を上げ（大きくし）、下側に配置されているスイッチ２５は、対物レンズ４の倍率を下げる（小さくする）。なお、図４では、対物レンズ４ａが光軸ｎ１（図１参照）上に配置されているものとする。
【００２２】
この顕微鏡で、試料Ｗを観察する場合の手順について、図５を主に参照しながら説明する。
最初に、ステージ２上に試料Ｗを載せる。さらに、ランプハウス６内の光源より発せられた光を、照明光軸７に沿って落射照明系を進ませ、対物レンズ４を介して試料Ｗに照射させる。試料Ｗにて反射された光は、再び対物レンズ４を通って、鏡筒８を介して接眼レンズ９に導かれ、観察者Ｐ２に観察される。
観察者Ｐ２の手Ｐ１，Ｐ３は、側方から左右の焦準ハンドル１０，１１を覆うように添えられる。さらに、図２に示すように、左手Ｐ１の親指Ｐ１１は、前面３０のスイッチ２５，２６のいずれかに添えられる。なお、焦準ハンドル１０，１１が、ステージ２の下方かつ前方に配置されているので、観察者Ｐ２が焦準操作を行うときに、ステージ２が観察者Ｐ２に向かって最も突出する前側ストローク位置３ａに移動しても、観察者Ｐ２にぶつかることがない。さらに、肘Ｐ４を無理のない角度（約９０°付近）にした状態で焦準ハンドル１０，１１を操作できる。なお、試料Ｗの水平方向の移動は、ステージ２に設けられるハンドル（不図示）により行う。
【００２３】
試料Ｗの像を高倍率で観察したい場合には、図６に示すように、左手Ｐ１の親指Ｐ１１をＣＭ関節Ｐ１２を中心に回動させ、２つのスイッチ２５，２６のうち、左側かつ上側に配置されているスイッチ２６を押す。スイッチ２６からの信号は、不図示の電気回路に送られ、電気回路がレボルバ５を、観察者Ｐ２からみて左方向（図３及び図４の矢印Ｇ方向）に回転させる。これにより、例えば、図４に示すように、光軸ｎ１上に配置されている対物レンズ４が、対物レンズ４ａから、より高倍率の対物レンズ４ｂに切り換えられる。
また、試料Ｗの像を低倍率で観察したい場合には、図２に示すように、左手Ｐ１の親指Ｐ１１を、ＣＭ関節Ｐ１２を中心に回動させ、右側かつ下側に配置されているスイッチ２５を押す。スイッチ２５からの信号に基づいて電気回路がレボルバ５を、観察者Ｐ２からみて右方向（図３の矢印Ｆ方向）に回転させる。これにより、例えば、図７に示すように、光軸ｎ１上に配置されている対物レンズ４が、対物レンズ４ｅから、より低倍率の対物レンズ４ｄに切り換えられる。
【００２４】
そして、スイッチ２５とスイッチ２６とを交互に押すような場合には、親指Ｐ１１の指先を、ＣＭ関節Ｐ１２を中心として動作軌跡２４に沿って動かす。これにより、レボルバ５は、スイッチ２５，２６を押した回数又は、押されている時間の長さに応じて回転し、対物レンズ４が切り換えられる。なお、例外として、最高倍率の対物レンズ４ｅから最低倍率の対物レンズ４ａに切り替える際には、上側に配置されているスイッチ２６を押しても、対物レンズ４の倍率が下がることになる。
【００２５】
この実施の形態によれば、焦準に用いる焦準ハンドル１０，１１から殆ど手を動かすことなく、対物レンズ４の切り換えが行える。さらに、親指Ｐ１１の関節の動きに合わせて一方の焦準ハンドル（焦準ハンドル１１）の近傍の前面３０に、スイッチ２５，２６を配置しているので、円滑な作業が行え、無理のない指使いができる。
さらに、対物レンズ４の動き、つまりレボルバ５の回転方向と、スイッチ２５，２６の横（左右）方向の配置とが対応すると共に、対物倍率の高低と、スイッチ２５，２６の縦（上下）方向の配置（高倍が上、低倍が下）とが対応している。したがって、観察者Ｐ２にとって理解しやすく、操作性に優れるので、操作ミスも少なくすることができる。
【００２６】
次に、この発明の第２の実施の形態について図面を参照しながら詳細に説明する。
図８は第２の実施の形態における前面のスイッチの配置と操作を示す図であり、図９は明るさと絞りの配置を示す。図１０、図１２はスイッチを押したときの絞りの動きを説明する図である。図１１は操作を説明する図である。なお、第１の実施の形態と同一の構成要素には、同一の符号を付している。また、第１の実施の形態と重複する説明は省略する。
【００２７】
図８に示すように、この実施の形態における顕微鏡の顕微鏡本体１は、前面３０において、前記スイッチ２５，２６とは反対側で、右側の焦準ハンドル１０に近接した部分に、プッシュ式のスイッチ２７及びスイッチ２８が設けられている。
これらスイッチ２７，２８は、前面３０の右側で、焦準ハンドル１０を軸方向の外側（側方）から右手Ｐ３で覆ったときに、右手Ｐ３の親指Ｐ３１で押せる位置に配置されている。具体的には、右手Ｐ３の親指Ｐ３１のＣＭ関節（付け根関節）Ｐ３２を中心として、親指Ｐ３１の指先を移動させたときの円弧状の動作軌跡２９上に配置されている。スイッチ２７は、焦準ハンドル１０の軸１２の回転軸Ｃ１を通り水平な平面と、前面３０とが交差する線上に配置されている。スイッチ２８は、スイッチ２７よりも右側（焦準ハンドル１０側）で、スイッチ２７よりも高い位置に配置されている。つまり、スイッチ２５とスイッチ２６とを結ぶ直線は、前面３０の右端から中央に向かって下り勾配を有し、焦準ハンドル１０，１１の回転軸Ｃ１を通る水平面に対して傾斜している。
【００２８】
このように配置されるスイッチ２７，２８は、それぞれ、スイッチ２７，２８の外形と略同形状の接点２７ａ，２８ａを有している。各接点２７ａ，２８ａは、図９に示すような落射照明系の明るさ絞り３５を制御する電気回路に接続されている。絞り３５は、例えば、図１０に示すように、複数の絞り羽３６から構成され、この絞り羽３６で開口３７の大きさを変化させる。スイッチ２７の接点２７ａは、絞り３５の開口３７を閉じるように電気回路に接続され、スイッチ２８の接点２８ａは、絞り３５の開口３７を開くように電気回路に接続されている。つまり、高い位置にあるスイッチ２８が絞り３５の開度が高い（大きく）、低い位置にあるスイッチ２７が絞り３５の開度が低く（小さく）なるようになっている。
【００２９】
絞り３５を開く際には、図１１に示すように、右手Ｐ３の親指Ｐ３１をＣＭ関節Ｐ３２を中心に回動させ、２つのスイッチ２７，２８のうち、右側かつ上側に配置されているスイッチ２８を押す。スイッチ２８からの信号は、電気回路に送られ、絞り３５が開く。これにより、例えば、図１２に示すような最大開度まで開くことができる。そして、絞り３５の開口３７の大きさに応じて、ランプハウス６から試料Ｗに照射される光量が増え、接眼レンズ９で観察する視野が明るくなる。
さらに、絞り３５を閉じる際には、図８に示すように、右手Ｐ３の親指Ｐ３１をＣＭ関節Ｐ３２を中心に回動させ、２つのスイッチ２７，２８のうち、左側かつ下側に配置されているスイッチ２７を押すと、絞り３５の開度が減少し、接眼レンズ９で観察する視野が暗くなる。
そして、スイッチ２７とスイッチ２８とを交互に押すような場合には、親指Ｐ３１のＣＭ関節Ｐ３２の動作軌跡２９に沿って動かすことによって行える。
【００３０】
この実施の形態によれば、第１の実施の形態に加え、前面３０の他方の焦準ハンドル（焦準ハンドル１０）側に配置されたスイッチ２８を押すことで、電気的に明るさの絞り３５が開放方向に大きくなっていく。一方、スイッチ２７を押すと電気的に明るさの絞り３５が閉じる方向に小さくなっていく。したがって、スイッチ２７，２８を押す回数又は、押されている時間の長さにより、絞り３５の開口を最小径から最大径までの範囲で変化させることができる。
また、明るさの絞り３５の動きとスイッチ２７，２８の縦方向の配置（上は開度が大きくなり、下は開度が小さくなる）が合っているため、観察者Ｐ２にとって理解しやすく、操作性に優れ、操作ミスを少なくすることができる。
【００３１】
なお、スイッチ２７，２８は、明るさの絞り３５の代わりに、視野の絞りを制御する電気回路に接続しても良い。視野の大きさを手元の操作で制御することが可能になる。
【００３２】
次に、この発明の第３の実施の形態について図面を参照しながら詳細に説明する。
図１３は、この実施の形態の顕微鏡のＹ矢視図で、図１４及び図１５はその構成の詳細を示している。図１６は顕微鏡のＹ矢視図である。なお、第１，第２の実施の形態と同一の構成要素には、同一の符号を付している。また、第１，第２の実施の形態と重複する説明は省略する。
【００３３】
図１３及び図１４に示すように、この実施の形態における顕微鏡は、ベース部１ａの前面を覆う前面パネル４３に対して回転可能な回転座４０に、プッシュ式のスイッチ４１とスイッチ４２とが収容された構成を有している。なお、スイッチ４１及びスイッチ４２は、第１の実施の形態におけるスイッチ２５及びスイッチ２６と同様の機能を持ち、それぞれ、接点４１ａ，４２ａを有している。また、スイッチ４１（接点４１ａ）の中心とスイッチ４２（接点４２ａ）の中心を通る直線は、焦準ハンドル１０，１１の回転軸Ｃ１を通る水平面に対して傾斜しており、前面パネル４３の左端から中央に向かって下り勾配を有している。
スイッチ４１，４２は、基板４４に固定されている。基板４４は、円板形状を有し、その一直径上に２つのスイッチ４１，４２が固定されている。また、基板４４の中央には、ネジ孔４５が設けられており、ここに回転座４０がネジ４６で固定されている。
【００３４】
回転座４０は、有底の円筒形状を有し、底部４０ａの中心に支柱４０ｂが立設し、この支柱４０ｂにネジ４６を羅入するネジ孔４７が設けられている。さらに、底部４０ｂには、スイッチ４１，４２を挿通させる穴４８，４９が、スイッチ４１，４２の位置に合わせて２つ設けられている。底部４０ａの外径は、前面パネル４３の開口５０の径に略等しい。また、回転座４０の側面４０ｃは、底部４０ａに連なり、前面パネル４４の開口５０の径に略等しい小径部５１と、小径部５１よりも外径が大きい大径部５２とを有する。大径部５２の外周には、Ｖ溝５３が設けられている。なお、この大径部５２の外径は、基板４４の外径よりも大きい。
【００３５】
回転座４０及び基板４４を回転可能に支持するベース部１ａは、回転座４０の大径部５２に略等しい内径を有する空隙である嵌合部５５と、嵌合部５５よりも小径の空隙である収容部５６とを有している。さらに、嵌合部５５と収容部５６との境界は、回転座４０が突き当たる突き当て部５７を形成し、この突き当て部５７と前面パネル４３とで回転座４０を挟み込んでいる。したがって、回転軸Ｃ２に沿った方向への回転座４０及び基板４４の移動は、前面パネル４３と突き当て部５７とにより規制される。
なお、収容部５６の下側には、ケーブル５８を引き回すケーブル孔５９が形成されている。ケーブル５８の一端は、基板４４の背面を通り、スイッチ４１，４２のそれぞれの接点４１ａ，４２ａに接続されている。ケーブル５８の他端は、レボルバ５の回転制御を行う電気回路（不図示）に接続されている。
【００３６】
また、図１５に示すように、ベース部１の側面には、回転座４０のＶ溝５３に向かって、ネジ孔６０が形成されている。このネジ孔６０には、尖り先ネジ６１がねじ込まれている。尖り先ネジ６１を締め込んだ状態では、尖り先ネジ６１の先端とＶ溝５３とが係合して回転座４０がベース部１ａ及び前面パネル４３に対して固定される。例えば、図１３では、スイッチ４７の中心とスイッチ４８の中心とを結ぶ直線は、顕微鏡本体１の垂直方向の軸線Ｃ３に対して、所定の角度θａの傾きを有している。
【００３７】
この顕微鏡で観察を行う際には、観察者Ｐ２の手Ｐ１の大きさや、嗜好に合わせてスイッチ４１，４２の位置を調整することができる。具体的には、最初に、尖り先ネジ６１を六角レンチなどで緩め、尖り先ネジ６１と回転座４０のＶ溝との係合を解く。そして、観察者Ｐ２が、親指Ｐ１１をＣＭ関節Ｐ１２を中心にして回動させたときの動作軌跡２４上に、スイッチ４１とスイッチ４２とが配置されるように、スイッチ４１，４２ごと回転座４０を回転させる。そして、スイッチ４１，スイッチ４２の位置を調整したら、その位置で尖り先ネジ６１をねじ込んで、回転座４０をベース部１ａに固定する。
【００３８】
この実施の形態によれば、尖り先ネジ６１を緩めることで回転座４０が嵌合部５５に沿って回転軸Ｃ２を中心にして回転可能となる。例えば、図１３に示す角度θａから、図１６に示す角度θｂのように回転させて、尖り先ネジ６１を締め込んで固定することで、スイッチ４１及びスイッチ４２の配置を、回転軸Ｃ２を中心として任意の角度に設定することができる。
また、第１の実施の形態の効果に加え、スイッチ４１，４２の位置が、手Ｐ１の大きさや、親指Ｐ１１の長さ、観察者Ｐ２の姿勢の違いなどに対応して変更できるため、適応性及び操作性がさらに優れる。
【００３９】
なお、本発明は、前記の各実施の形態に限定されずに、広く応用することができる。
例えば、レボルバ５や、絞り３５といった駆動部の制御用に配置されるスイッチの数は、３つ以上でも良い。この場合も、隣り合うスイッチの中心を結ぶ直線が顕微鏡の水平軸に対して傾斜するように配置される。
また、第３の実施の形態において、前面パネル４３の右側にスイッチ２７，２８を設け、これらスイッチ２７，２８を絞り３５（図９、図１０参照）に対応させても良い。さらに、スイッチ２７，２８を前述の回転座４０及び基板４４と同様の構成を有する回転座及び基板に取り付け、ベース部１ａ（及び前面パネル４３）に対して回転可能に構成しても良い。
さらに、スイッチ２５とスイッチ２６の形状や、材質、表面処理を異ならせ、スイッチ２５，２６の確認を容易にしても良い。また、スイッチ２７とスイッチ２８、スイッチ４１とスイッチ４２についても同様にしても良い。
【００４０】
また、前面に配置されるスイッチは、シーソースイッチ、又はタンブラースイッチなどの多接点スイッチであっても良い。この種のスイッチは、スイッチの両端が交互に突出又は没入する構成を有し、両端のそれぞれに接点が設けられている。このような多接点スイッチは、例えば、スイッチ２５及びスイッチ２６の機能を１つのスイッチで賄うものである。この場合には、多接点スイッチの揺動軸が、ＣＭ関節Ｐ１２，Ｐ３２の作動軌跡２４，２９（図８参照）上に配置される。そして、多接点スイッチを顕微鏡本体の前面の右端付近に配置する場合には、隣り合う２つの接点を結ぶ直線は、前面の右端から中心に向かって下り勾配を有する。同様に、多接点スイッチを左端付近に配置する場合には、隣り合う２つの接点を結ぶ直線は、前面の左端から中心に向かって下り勾配を有する。
さらに、スイッチは、レバー式の多接点スイッチであっても良い。この種のスイッチは、レバーが１軸の直線往復運動に構成され、揺動中心からレバーを押し込む方向に沿って、少なくとも２つの接点を有している。レバーの揺動軸が、ＣＭ関節Ｐ１２，Ｐ３２の作動軌跡２４，２９上に配置される。例えば、レバー式の多接点スイッチを顕微鏡本体の前面の右端付近に配置する場合には、隣り合う２つの接点を結ぶ直線は、前面の右端から中心に向かって下り勾配を有する。
【００４１】
そして、隣り合うスイッチ又は接点を結ぶ直線は、前面パネル４３の左端から中央に向かって上がり勾配を有するような配置としても良い。親指Ｐ１１，Ｐ３１を下げた状態で焦準ハンドル１０，１１や各スイッチ２５〜２８，４１，４２を操作する場合に、操作しやすくなる。このような場合にも、レボルバ５の回転方向や、対物レンズ４の倍率や、絞り３５などの動きと、スイッチ２５〜２８，４１，４２の配置とが対応付けられる。
また、レボルバ５を回転させるスイッチ２５，２６と、絞り３５の開口径を調整するスイッチ２７，２８との配置は、上記実施の形態に開示されたものに限られず、例えば、上述した実施の形態の配置と逆になっていても良い。
また、本発明のスイッチは、別ユニットで構成しておき、後付で顕微鏡前面に接着又はネジ止め等で固定するようにしても良い。
【図面の簡単な説明】
【００４２】
【図１】本発明の実施形態における顕微鏡の全体構成図である。
【図２】図１のＹ矢視図であり、前面のスイッチの配置と操作を示す図である。
【図３】スイッチを押したときの動きを示す図である。
【図４】スイッチを押したときの動きを示す図である。
【図５】顕微鏡の観察姿勢を示す図である。
【図６】スイッチの操作を説明する図である。
【図７】スイッチを押したときの動きを示す図である。
【図８】図１のＹ矢視図であり、前面のスイッチの配置と操作を示す図である。
【図９】明るさと絞りの配置を示す図である。
【図１０】スイッチを押したときの絞りの動きを説明する図である。
【図１１】スイッチの操作を説明する図である。
【図１２】スイッチを押したときの絞りの動きを説明する図である。
【図１３】図１のＹ矢視図であり、前面のスイッチの配置と操作を示す図である。
【図１４】スイッチの配置構成を示す断面図である。
【図１５】スイッチの配置構成を示す図である。
【図１６】図１のＹ矢視図であり、前面のスイッチの配置と操作を示す図である。
【符号の説明】
【００４３】
１    顕微鏡本体
２    ステージ
５    レボルバ
６    ランプハウス（光源）
１０，１１    焦準ハンドル
２５，２６，２７，２８，４１，４２    スイッチ
２５ａ，２６ａ，２７ａ，２８ａ，４１ａ，４２ａ  接点
３０    前面
３５    絞り
４０    回転座（回転可能な部材）
４３    前面パネル（前面）
４４    基板（回転可能な部材）
６１    尖り先ネジ
Ｃ１  回転軸
Ｗ    試料
【図１】
2005221561.tif 000003
【図２】
2005221561.tif 000004
【図３】
2005221561.tif 000005
【図４】
2005221561.tif 000006
【図５】
2005221561.tif 000007
【図６】
2005221561.tif 000008
【図７】
2005221561.tif 000009
【図８】
2005221561.tif 000010
【図９】
2005221561.tif 000011
【図１０】
2005221561.tif 000012
【図１１】
2005221561.tif 000013
【図１２】
2005221561.tif 000014
【図１３】
2005221561.tif 000015
【図１４】
2005221561.tif 000016
【図１５】
2005221561.tif 000017
【図１６】
2005221561.tif 000018